(57)【特許請求の範囲】
【請求項１】
所定の放送プログラムに従つて所定の映像を複数接続された出力チヤンネルごとに送出する映像送出装置において、
上記送出プログラムの内容表示、当該送出プログラムの編集及び新規作成機能を有する第１の制御手段と、
上記第１の制御手段と同じ機能を有する第２の制御手段と、
上記第１の制御手段と上記第２の制御手段との間にネツトワークを構築する接続手段と
を具えることを特徴とする映像送出装置。
【請求項２】
上記第１の制御手段は、当該第１の制御手段の機能を優先した場合に上記第２の制御手段の機能を無効にし、上記第２の制御手段の機能を優先した場合に上記第１の制御手段の機能を無効にする
ことを特徴とする請求項１に記載の映像送出装置。
【発明の詳細な説明】
【０００１】
【目次】
以下の順序で本発明を説明する。
発明の属する技術分野
従来の技術
発明が解決しようとする課題（図２０）
課題を解決するための手段
発明の実施の形態
（１）実施例によるテレビジヨン放送システムの全体構成（図１）
（２）ＣＭインサーシヨン装置の構成（図２）
（２−１）エンコード処理部の構成（図３及び図４）
（２−２）プレイアウト部の構成（図５及び図６）
（２−３）モニタリング部の構成（図７）
（２−４）プレイリスト作成用コンピユータの構成（図８）
（３）イーサネツトによる遠隔操作（図９〜図１７）
（４）実施例の動作
（５）実施例の効果
（６）他の実施例（図１８及び図１９）
発明の効果
【０００２】
【発明の属する技術分野】
本発明は、映像送出装置に関し、例えばＣＡＴＶ(Cable Television)放送において番組の合間にコマーシヤル（ＣＭ）映像を挿入するＣＭインサーシヨン装置に適用して好適なものである。
【０００３】
【従来の技術】
従来、ＣＭインサーシヨン装置においてはＣＭ用のビデオソースをＭＰＥＧ規格に基づいてエンコードしてハードデイスクに保存しておくと共に、番組間にどのようなＣＭ映像を放送するかを予めプログラムしておく。
従つて、ＣＭインサーシヨン装置は送出プログラムに従つてＣＭ映像をハードデイスクから読み出して出力するだけでよく、スイツチヤによつて番組とＣＭ映像とが切り換えられて放送されていた。
【０００４】
【発明が解決しようとする課題】
図２０に示すように、ＣＭインサーシヨン装置１０１はエンコード処理部１０２及びＣＭ映像／音声信号を出力するプレイアウト部１０３から構成され、エンコード処理部１０２のコンピユータ１０４とプレイアウト部１０３のコンピユータ１０５とがイーサネツトバスＥＢを介して接続されている。
エンコード処理部１０２は、コンピユータ１０４の制御によつてＶＴＲ１０６でビデオテープに録画された所望のＣＭ映像／音声信号をエンコーダ１０７によつてエンコードする。
【０００５】
また、コンピユータ１０４はエンコードしたＣＭ映像／音声データをプレイアウト部１０３のコンピユータ１０５に送出するための指示信号をイーサネツトバスＥＢを介して送出し、当該コンピユータ１０５からＣＭ映像／音声データの受入れ準備が整つたという情報が得られたときに、エンコーダ１０７によつてＣＭ映像／音声データをビデオサーバ１０８を介してハードデイスク１０９に送出し保存する。
【０００６】
プレイアウト部１０３のコンピユータ１０５はハードデイスク１０９から各種ＣＭ映像／音声データを読み出し、各チヤンネルごとにＣＭ送出プログラムリスト（以下、これをプレイリストと呼ぶ）を予め設定して内蔵のハードデイスク（図示せず）に記録する。
コンピユータ１０５はプレイリストの順番に基づいてビデオサーバ１０８でＣＭ映像データをデコードし、番組の終了を知らせるタイミング信号ＧＰＩ1 〜ＧＰＩ6 に基づいて各チヤンネルからＣＭ映像／音声信号を出力するようになされている。
【０００７】
ところでかかる構成のＣＭインサーシヨン装置１０１においては、プレイアウト部１０３のコンピユータ１０５の画面表示を用いてプログラムを作成したり、あるいはＣＭ映像放送中に新たなＣＭ映像データをプレイリストに書き加える等の編集作業を行つたり、さらには放送中のプレイリストの放送状態をモニタしていた。このために、オペレータは使用目的に応じてコンピユータ１０５の表示画面を切り換えながら使用せざるを得なかつた。
【０００８】
また、ＣＭインサーシヨン装置１０１においては、ＣＭ映像の放送中に緊急でプレイリストの編集作業を行わなければならなくなつたときに、現在プレイリストの放送状態をモニタしていたら、オペレータはモニタリングを中止してプレイリストの編集用画面に切り換えなければならず、同時に２つ以上の処理を並行して実行することができなかつた。
このように、ＣＭインサーシヨン装置１０１においては使用目的に応じて表示画面を切り換えなければならないために同時に２つ以上の処理を並行して実行することができず、使い勝手が悪いという問題があつた。
【０００９】
本発明は以上の点を考慮してなされたもので、画面を切り換えることなく各種処理を同時に並行して実行し得る使い勝手の良い映像送出装置を提案しようとするものである。
【００１０】
【課題を解決するための手段】
かかる課題を解決するため本発明においては、所定の放送プログラムに従つて所定の映像を複数接続された出力チヤンネルごとに送出する映像送出装置において、送出プログラムの内容表示、当該送出プログラムの編集及び新規作成機能を有する第１の制御手段と、第１の制御手段と同じ機能を有する第２の制御手段と、第１の制御手段と上記第２の制御手段との間にネツトワークを構築する接続手段とを設けるようにする。
これにより、第１の制御手段だけでなく第２の制御手段においても送出プログラムの内容表示、当該送出プログラムの編集及び新規作成を実行できるので、各種処理を同時に並行して実行することができる。
【００１１】
【発明の実施の形態】
以下図面について、本発明の一実施例を詳述する。
【００１２】
（１）実施例によるテレビジヨン放送システムの全体構成
図１において、１は全体として本発明を適用したＣＡＴＶ用のテレビジヨン放送システムを示し、複数チヤンネル分（この実施例では６チヤンネル分）のカートマシン２〜７、各カートマシン２〜７にそれぞれ対応させて設けられた制御部８〜１３、及びＣＭ（コマーシヤル映像）インサーシヨン装置１４から構成されている。
【００１３】
制御部８〜１３は、予め入力された番組編成プログラムに沿つて各カートマシン２〜７に制御信号Ｃ1 〜Ｃ6 をそれぞれ供給する。
各カートマシン２〜７においては、制御部８〜１３からそれぞれ供給される制御信号Ｃ1 〜Ｃ6 に基づいて、番組放送時間中は指定されたビデオテープから指定された番組の映像／音声信号ＶＡ1 〜ＶＡ6 を再生し、内蔵されたスイツチヤ（図示せず）を介して各チヤンネルから出力するようになされている。
【００１４】
また、各カートマシン２〜７はＣＭの挿入開始予定時刻の１秒ないし２秒前になると、タイミング信号ＧＰＩ1 〜ＧＰＩ6 をＣＭインサーシヨン装置１４に供給することにより、各チヤンネルごとに予め設定されたＣＭ送出プログラムリスト（以下、これをプレイリストと呼ぶ）に沿つたＣＭ映像／音声信号ＣＶＡ1 〜ＣＶＡ6 をＣＭインサーシヨン装置１４によつて開始時刻から再生させ、当該ＣＭ映像／音声信号ＣＶＡ1 〜ＣＶＡ6 をスイツチヤを介して外部に送出するようになされている。
【００１５】
また、カートマシン２〜７はＣＭ映像／音声信号ＣＶＡ1 〜ＣＶＡ6 の送出終了時における次の番組の映像／音声信号ＶＡ1 〜ＶＡ6 の開始時間も管理しており、ＣＭ映像／音声信号ＣＶＡ1 〜ＣＶＡ6 が終了するタイミングでスイツチヤを切り換えて次の番組の映像／音声信号ＶＡ1 〜ＶＡ6 を出力するようになされている。
【００１６】
このように、テレビジヨン放送システム１はカートマシン２〜７によつて各チヤンネルごとに予め設定された番組編成プログラムに沿つて、番組の映像／音声信号ＶＡ1 〜ＶＡ6 とＣＭ映像／音声信号ＣＶＡ1 〜ＣＶＡ6 とを順次切り換えながら送出することにより、番組の合間にプレイリストに沿つたＣＭを放送し得るようになされている。
【００１７】
（２）ＣＭインサーシヨン装置の構成
図２に示すように、ＣＭインサーシヨン装置１４はＣＭ映像／音声信号ＣＶＡ1 〜ＣＶＡ6 をＭＰＥＧ（Moving Picture Experts Group）規格で符号化し、多重化してエンコードデータＤ１として出力するエンコード処理部１５と、エンコードデータＤ１を記録して保存すると共に当該エンコードデータＤ１を各チヤンネルごとに予め設定されたプレイリストに従つて再生し出力するプレイアウト部１６と、及びＣＭ映像／音声信号ＣＶＡ1 〜ＣＶＡ6 の送出状態をモニタリング、かつ必要に応じてプレイリストの作成、再生及び編集を行うモニタリング部１７とを設けて構成されている。
各エンコード処理部１５、プレイアウト部１６及びモニタリング部１７はイーサネツトバスＥＢを介してネツトワークに結ばれている。
【００１８】
エンコード処理部１５においては、コンピユータ１８の制御によつてＶＴＲ１９でビデオテープに録画されたＣＭ映像／音声信号ＣＶＡをエンコーダ部２１でエンコードする一方においてデコードし、モニタ２０によつてデコードされたＣＭ映像／音声信号ＣＶＡを実際にモニタしながら、エンコードしたいＣＭ映像／音声信号ＣＶＡの放送時間範囲をタイムコードを用いて「秒」単位で指定すると共に、ライブラリユニツト２２やストリーマ２３等の記録手段に記録するようになされている。
コンピユータ１８は、この指定された放送時間範囲のＣＭ映像／音声信号ＣＶＡをエンコードする指示信号Ｓ１をエンコーダ部２１に供給する。
【００１９】
エンコーダ部２１は指示信号Ｓ１に基づいて指定された放送時間範囲のＣＭ映像／音声信号ＣＶＡをＭＰＥＧ規格に従つてエンコードする。
実際上、エンコーダ部２１は指定された時間範囲の各ＣＭ映像／音声信号ＣＶＡにＩＤナンバを付して「クリツプＩＤ」という送出単位に変換し、複数のクリツプＩＤからなる「エンコードリスト」を作成する。
【００２０】
そして、エンコーダ部２１は「エンコードリスト」に基づいてそれぞれのクリツプＩＤを一括してエンコードし、エンコードデータＤ１としてライブラリユニツト（ハードデイスク）２２に保存すると共に、プレイアウト制御部１６のビデオサーバ２５にも10[Mbps]の転送レートで送出する。
このとき、エンコード処理部１５においてはエンコードしたクリツプＩＤの映像状態（画質等）をモニタ２０に映し出すようになされている。従つて、オペレータはエンコードしたクリツプＩＤの映像状態をモニタ２０上に映し出すことにより確認し得るようになされている。
【００２１】
また、コンピユータ１８はライブラリユニツト２２に保存されたエンコードデータＤ１を読み出してストリーマ２３に送出し記録するようになされている。これにより、ＣＭインサーシヨン装置１４はエンコード処理部１５でエンコードデータＤ１の記録されたストリーマテープを持ち運びすることができ、離れた箇所に設けられたプレイアウト部１６のストリーマ２７でエンコードデータＤ１を読み出し得るようになされている。
【００２２】
また、プレイアウト部１６においては、エンコード処理部１５のコンピユータ１８からイーサネツトを介して与えられる制御信号に基づいて、コンピユータ２４がエンコード処理部１５のエンコーダ部２１から送られて来たエンコードデータＤ１をビデオサーバ２５を介して指定されたメデイアユニツト２６のいずれか（メデイアユニツト２６Ａ〜２６Ｇ）に保存する。
ストリーマ２７は、エンコード処理部１５のストリーマ２３により記録されたストリーマテープを再生することによつても、エンコードデータＤ１を読み出し得るようになされている。
【００２３】
さらに、プレイアウト部１６は各メデイアユニツト２６Ａ〜２６Ｇに保存されたエンコードデータＤ１の各クリツプＩＤの付加情報（ID No.、Title 等）に基づいてＣＭ送出プログラムリストである「プレイリスト」を作成してコンピユータ２４内のハードデイスク（図示せず）に記録して再生し得ると共に、必要に応じてプレイリストを編集し得るようになされている。
尚、ビデオサーバ２５は各カートマシン２〜７から各チヤンネルごとに対応したタイミング信号ＧＰＩ1 〜ＧＰＩ6 が送られて来ると、「プレイリスト」にプログラムされた順番に従つてクリツプＩＤを順次デコードし、番組が終了するタイミングでプログラム通りの順番にＣＭ映像／音声信号ＣＶＡ1 〜ＣＶＡ6 をカートマシン２〜７（図１）を介して指定されたチヤンネルから出力するようになされている。
【００２４】
一方、モニタリング部１７はモニタリング用のコンピユータ２８〜３３を有し、ビデオサーバ２５から各チヤンネルに対応して送出されるＣＭ映像／音声信号ＣＶＡ1 〜ＣＶＡ6 の「プレイリスト」内容（ＣＭ送出プログラムリスト）をコンピユータ画面上で確認し得るようになされている。
これにより、モニタリング部１７においては各コンピユータ２８〜３３に対してそれぞれ専用のオペレータが配置され、各オペレータがＣＭ映像／音声信号ＣＶＡ1 〜ＣＶＡ6 の放送状況を各チヤンネルごとにモニタするようになされている。
【００２５】
また、モニタリング用のコンピユータ２８〜３３は立ち上げた最初の状態として順に「１」〜「６」チヤンネルのプレイリストを表示するが、スイツチを切り換えることによつて任意のコンピユータ２８〜３３で所望チヤンネルの「プレイリスト」内容を表示し得るようになされている。
さらに、モニタリング用のコンピユータ２８〜３３はプレイアウト部１６のコンピユータ２４と同じ機能を有し、プレイリストの作成及び再生、並びにプレイリスト再生中のクリツプＩＤの編集（クリツプＩＤの差し替え等）も実行し得るようになされている。
【００２６】
さらに、ＣＭインサーシヨン装置１４は外部にオフラインでプレイリストの作成及び編集のためのプレイリスト作成用コンピユータ３４が設けられている。
プレイリスト作成用コンピユータ３４は、プレイリストの作成及び編集作業を実行する機能を有し、作成したプレイリストをフロツピデイスク（図示せず）に記録するようになされている。
従つて、プレイアウト部１６のコンピユータ２４によつて、このフロツピデイスクに記録されたプレイリストを読み出すことにより、当該プレイリストに従つてＣＭ映像／音声信号ＣＶＡ1 〜ＣＶＡ6 をビデオサーバ２５から出力し得るようになされている。
【００２７】
（２−１）エンコード処理部の構成
図３に示すように、エンコード処理部１５のエンコーダ部２１においては、ペリフエラルデバイス制御部４１、音声データエンコード部４２、映像データエンコード部４３、多重化部４４及びＭＰＥＧ２ビツトストリームデータデコード部４５並びに各ブロツクを接続するシステムバス４６から構成されている。
【００２８】
ペリフエラルデバイス制御部４１は、コンピユータ１８からの指示信号Ｓ１に基づいてタイムコードで指定された放送時間範囲のＣＭ映像／音声信号をＶＴＲ１９によつて再生し、音声信号Ａ１を音声信号エンコード部４２に供給すると共に、映像信号Ｖ１を映像信号エンコード部４３に供給する。
【００２９】
また、ペリフエラルデバイス制御部４１は音声信号エンコード部４２、映像信号エンコード部４３、多重化部４４及びＭＰＥＧ２ビツトストリームデータデコード部４５を制御しており、音声信号エンコード部４２によつて音声信号Ａ１をＭＰＥＧ１規格、Layer2に準拠した音声符号化データＡＥ１にエンコードすると共に、映像信号エンコード部４３によつて映像信号Ｖ１をＭＰＥＧ２規格、MP＠MLに準拠した映像符号化データＶＥ１にエンコードしてそれぞれ多重化部４４に供給する。
【００３０】
多重化部４４は音声符号化データＡＥ１及び映像符号化データＶＥ１を多重化してビツトストリームデータＤ２を生成する。ペリフエラルデバイス制御部４１はシステムバス４６を介してビツトストリームデータＤ２をＭＰＥＧ２ビツトストリームデータデコード部４５に送出する。
また、ペリフエラルデバイス制御部４１はビツトストリームデータＤ２をビデオサーバ２５へ送出し、当該ビデオサーバ２５を介してメデイアユニツト１〜７に保存し得るようになされている。
【００３１】
さらに、ペリフエラルデバイス制御部４１はビツトストリームデータＤ２をライブラリユニツト２２に一旦保存し、このライブラリユニツト２２に保存したビツトストリームデータＤ２をストリーマ２３によつてストリーマテープに記録しておくことができる。
【００３２】
ＭＰＥＧ２ビツトストリームデータデコード部４５は、ペリフエラルデバイス制御部４１の制御に基づいてビツトストリームデータＤ２をデコードしてＣＭ映像信号Ｖ２とＣＭ音声信号Ａ２を取り出し、ＣＭ映像信号Ｖ２を映像確認用モニタ２０に出力すると共に、ＣＭ音声信号Ａ２をオーデイオアンプ４７を介して増幅しスピーカ４８から音声として出力するようになされている。
これにより、オペレータは実際にエンコードしたクリツプＩＤのＣＭ映像信号Ｖ２をモニタ２０上に確認すると共に、スピーカ４８を介して音声を出力することにより、エンコードしたクリツプＩＤの画質及び音質をチエツクするようになされている。
【００３３】
次に、図４に示すように、エンコード処理部１５におけるコンピユータ１８は、コンピユータの制御部であるＣＰＵ(Central Processing Unit) ５１Ａ、メインメモリであるＲＯＭ(Read Only Memory)５２Ａ及びＲＡＭ(Random Access Memory)５３Ａ並びに画像表示用のメモリであるＶＲＡＭ(Video Random Access Memory)５４Ａがシステムバス５５Ａを通じて接続されている。
さらにＣＰＵ５１Ａ及びメインメモリには、入出力手段や外部記憶手段等の周辺装置がシステムバス５５Ａを介して接続されている。
【００３４】
ＲＯＭ５２Ａは、コンピユータ１８を立ち上げるときにハードウエアのシステムを初期化するため基本動作プログラムであるであるＢＩＯＳ(Basic Input/Output System) を記憶している。またＲＡＭ５３Ａは、ＯＳ（Operating System）やアプリケーシヨンソフトウエアの実行プログラムに対するＣＰＵ５１Ａの作業領域として用いられる。さらにＶＲＡＭ５４Ａは、コンピユータ１８に設けられたモニタ５６Ａ上に画面表示する画像表示用データを書き込むためのメモリとして用いられる。
【００３５】
ここで、電源投入によつてＲＯＭ５２Ａから読み出されるＢＩＯＳによつてコンピユータ１８が立ち上げられると、ＣＰＵ５１ＡはＳＣＳＩインターフエース５８Ａを介してハードデイスク５７ＡからＯＳを読み出してＲＡＭ５３Ａにロードする。これによりコンピユータ１８は、ＯＳを介したＣＰＵ５１Ａによる制御によつて動作させられるようになる。
【００３６】
ＣＰＵ５１Ａは、ＣＭ映像／音声信号をエンコードする場合、エンコードに関する各種処理を実行するためのエンコーデイングコントロールソフトウエアをＳＣＳＩインターフエース５８Ａを介してハードデイスク５７Ａから読み出してＲＡＭ５３Ａにロードし、ＯＳを経由してエンコーデイングコントロールソフトウエアの画像表示用データをＶＲＡＭ５４Ａ上に書き込む。
【００３７】
コンピユータ１８は、エンコーデイングコントロールソフトウエアを用いてエンコード処理に関する各種処理を実行するときに用いられるメニユ画面やキーボード６０Ａによつて入力されるテキスト等の画像表示用データを、ＯＳを経由してＶＲＡＭ５４Ａ上に書き込み、これらの画像表示用データをＣＰＵ５１Ａによつて定期的に読み出すことによつて画面表示する。
【００３８】
この場合コンピユータ１８は、入力手段であるキーボード６０Ａ又はマウス６２Ａによつて入力される入力情報をそれぞれキーボードインターフエース５９Ａ又はマウスインターフエース６１Ａを介して入力し、ＯＳを経由してエンコーデイングコントロールソフトウエアに引き渡すようになされている。
【００３９】
ここでエンコード処理に関するメニユ画面や作業画面をＣＲＴモニタ５６Ａ上に画面表示する場合は、ＣＰＵ５１Ａの制御によつてＶＲＡＭ５４Ａから画像表示用データを読み出してＤ／Ａ(Digital/Analog)コンバータ６３Ａに送出し、当該Ｄ／Ａコンバータ６３Ａによつてデイジタル映像信号をアナログ映像信号に変換してＣＲＴモニタ５６Ａに出力する。
またコンピユータ１８には、プリンタ６４Ａがパラレルインターフエース６５Ａ及びバス５５Ａを介して接続されており、このプリンタ６４Ａを用いてＣＲＴモニタ５６Ａ上に表示される表示画面内容をプリントアウトし得るようになされている。
【００４０】
さらにエンコード処理部１５のコンピユータ１８には、プレイアウト部１６のコンピユータ２４とモニタリング部１７のコンピユータ２８〜３３とがイーサネツトバスＥＢ及びイーサネツトインターフエース６７Ａを介して接続されている。これによりエンコード処理部１５のコンピユータ１８、プレイアウト部１６のコンピユータ２４及びモニタリング部１７のコンピユータ２８〜３３間でコマンド及びデータの送受信ができるようになされている。
この場合、エンコード処理部１５のエンコーダ部２１には、プレイアウト部１６のビデオサーバ２５がイーサネツトを介して接続されており、エンコーダ部２１あるいはビデオサーバ２５との間においてエンコーデイングコントロールソフトウエアによる処理のための各種コマンドを送受信できるようになされている。
【００４１】
（２−２）プレイアウト部の構成
図５に示すように、プレイアウト部１６のビデオサーバ２５はコンピユータ２４からのコマンドをシステム制御部７１が受け取り、当該システム制御部７１がコマンドに基づいてプレイリストの作成、編集及び再生を実行するようになされている。
システム制御部７１はビデオサーバ２５全体を制御するようになされており、カートマシン２〜７から送出されてきたタイミング信号ＧＰＩ1 〜ＧＰＩ6 に基づいて、ＨＤＤ制御部７２〜７８によつてメデイアユニツト２６Ａ〜２６Ｇに保存されているエンコードデータをそれぞれ読み出させ、データバス７９を介して時分割多重制御部８０に送出する。
【００４２】
時分割多重制御部８０はエンコードデータを時分割多重し、ビツトストリームデータＤ３としてデータバス８１を介してそれぞれのチヤンネルに対応したＡ／Ｖデコード部８２〜８７に送出する。
Ａ／Ｖデコード部８２〜８７は、ビツトストリームデータＤ３をデコードし、アナログのＣＭ映像信号及び音声信号ＣＶＡ1 〜ＣＶＡ6 として出力するようになさてれている。
【００４３】
また、データ入力部８８はエンコード処理部１５のエンコーダ部２１から送られてくるエンコードデータＤ１を入力するためのものであり、当該エンコードデータＤ１をＡ／Ｖデコード部８２〜８７に送出し、当該Ａ／Ｖデコード部８２〜８７によつてエンコードデータＤ１をデコードしてアナログのＣＭ映像信号及び音声信号ＣＶＡ1 〜ＣＶＡ6 として出力するようになされている。
【００４４】
また、図４との対応部分の同一符号に添字「Ｂ」を付して示す図６において、プレイアウト部１６のコンピユータ２４は、コンピユータ１８のハードデイスク５７Ａに記録されているエンコーデイングコントロールソフトウエアとは異なるプレイアウトコントロールソフトウエアがハードデイスク５７Ｂに格納されている点と、イーサネツトインターフエース６７Ｂを介してエンコード処理部１５のコンピユータ１８及びモニタリング部１７のコンピユータ２８〜３３と接続されている点を除いてコンピユータ１８と同様に構成されている。
【００４５】
プレイアウトコントロールソフトウエアはプレイリストの作成、編集及び再生等の各種処理を実行するためのものであり、コンピユータ２４においてはプレイアウトコントロールソフトウエアに基づいて各種処理を実行し得るようになされている。
【００４６】
（２−３）モニタリング部の構成
図４との対応部分の同一符号に添字「Ｃ」を付して示す図７において、モニタリング部１７のモニタリング用コンピユータ２８〜３３においても、コンピユータ１８のハードデイスク５７Ａに記録されているエンコーデイングコントロールソフトウエアとは異なるプレイアウトモニタリングソフトウエアがハードデイスク５７Ｃに格納されている点と、イーサネツトインターフエース６７Ｃを介してプレイアウト部１６のコンピユータ２４と接続されている点と、シリアルインターフエース６６Ｂを有しておらずコンピユータ２４とだけ接続されている点を除いてコンピユータ１８と同様に構成されている。
【００４７】
プレイアウトモニタリングソフトウエアはプレイアウトコントロールソフトウエアと全く同等の機能を有したプログラムであり、ＣＲＴモニタ５６Ｃ上にプレイリストの内容及び送出状態をモニタするだけでなく、プレイリストに対してクリツプＩＤの変更をかけたり、クリツプＩＤの差し替えを行う等の編集作業、及びプレイリストの再生を実行し得るようになされている。
【００４８】
このように、コンピユータ２８〜３３においてはコンピユータ１８と同様の機能を有しているが、通常はコンピユータ１８が機能を優先するように設定されている。従つて、コンピユータ２８〜３３においてはオペレータの操作によつてコンピユータ２８〜３３の機能を優先する権限をコンピユータ１８から与えられたときに限つて、プレイリストの作成、再生及び編集を実行し得るようになされている。
【００４９】
（２−４）プレイリスト作成用コンピユータの構成
図４との対応部分の同一符号に添字「Ｄ」を付して示す図８において、プレイリスト作成用コンピユータ３４においては、コンピユータ１８のハードデイスク５７Ａに記録されているエンコーデイングコントロールソフトウエアとは異なるプレイリストクリエーシヨンソフトウエアがハードデイスク５７Ｄに記録されている点と、シリアルインターフエース、パラレルインターフエースを有していない点と、イーサネツトインターフエースを有しておらず他のコンピユータと接続されていない点を除いてコンピユータ１８と同様に構成されている。
【００５０】
プレイリストクリエーシヨンソフトウエアはプレイリストの作成及び編集機能を有したプログラムであり、プレイリスト作成用コンピユータ３４において作成したプレイリストをフロツピーデイスク等に記録し、コンピユータ２４及び２８〜３３によつて記録したプレイリストデータを読み出し得るようになされている。
【００５１】
（３）イーサネツトによる遠隔操作
かかる構成のＣＭインサーシヨン装置１４においては、通常モニタリング部１７のコンピユータ２８〜３３のモニタ画面２８Ａ及び３３Ａ上で各チヤンネルごとのプレイリストの内容及び送出状態をモニタしているが、プレイアウト部１６のコンピユータ２４から機能優先の権限を与えられた場合に限つてプレイリストの作成、再生及びプレイリストの編集処理を実行し得るようになされている。
【００５２】
ここで、本発明のプレイアウトコントロールソフトウエアにおいて、プレイアウト部１６の第１の制御手段としてのコンピユータ２４からモニタリング部１７の第２の制御手段としてのコンピユータ２８〜３３に対して機能優先の権限を与えるときの表示画面の構成を図９に示す。
【００５３】
図９に示すように、プレイアウトコントロールソフトウエアにおいては、メインメニユ画面９１を最上位画面として、その下位画面に送出プログラムであるプレイリストを作成するためのプレイリストクリエーシヨン用画面群９２、プレイリストの送出状態及びプレイリストの編集用画面群９３、クリツプＩＤのコピー処理等を行うためのクリツプ管理用画面群９４、及びユーテイリテイ画面９５を有し、各種処理を実行し得るようになされている。
【００５４】
ユーテイリテイ画面９５は下位画面にリモートエデイテイング画面９６を有し、当該リモートエデイテイング画面９６においてコンピユータ２４からコンピユータ２８〜３３に対して機能優先の権限を与えられるようになされている。
次に、モニタリング用コンピユータ２８〜３３においてプレイリストの作成、及び送出中のプレイリストを編集するために、プレイアウト部１６のコンピユータ２４がモニタリング用コンピユータ２８〜３３の機能を優先させる権限を付与するときの処理手順を実際のモニタ画面を確認しながら説明する。
【００５５】
実際上、ＣＭインサーシヨン装置１４においては、まずコンピユータ２４を立ち上げるとＣＰＵ５１Ｂがハードデイスク５７ＢからＯＳを読み出してＲＡＭ５４Ｂにロードする。これにより、ＯＳは自動的に立ち上がる。
【００５６】
ＣＰＵ５１ＢはＯＳ上のアプリケーシヨンソフトウエアのうちプレイアウトコントロールソフトウエアを読み出してＲＡＭ５４Ｂにロードし、当該プレイアウトコントロールソフトウエアを立ち上げる。
続いて、ＣＰＵ５１ＢはＯＳのプログラムを経由してプレイアウトコントロールソフトウエアのメインメニユ画面の内容を表す画像表示用データをＶＲＡＭ５４Ｂに書き込む。ＣＰＵ５１ＢはＶＲＡＭ５４Ｂ上に書き込まれた画像表示用データを定期的に読み出し、Ｄ／Ａコンバータ６３Ｂによつてアナログの映像信号に変換して送出することによりＣＲＴモニタ５６Ｂ上にメインメニユ画面を表示するようになされている。
【００５７】
この場合、図１０に示すようにメインメニユ画面には「CLIP MANAGEMENT 」ボタン２００、「PLAYLIST MANAGEMENT 」ボタン２０１、「CHANNEL STATUS」ボタン２０２、「UTILITY 」ボタン２０３が表示される。オペレータは、「UTILITY 」ボタン２０３を選択してカーソルを合わせてクリツクする。
これにより、ＣＰＵ５１Ｂは「UTILITY MAIN MANU 」画面をＣＲＴモニタ５６Ｂ上に表示する。
【００５８】
図１１に示すように、「UTILITY MAIN MANU 」画面には各種処理を行うための「MEDIA UNIT/STREAMER FORMAT」ボタン２０４、「SYSTEM CONFIG 」ボタン２０５、「DIAG」ボタン２０６、「AS RUN LOG FILE MANAGEMENT」ボタン２０７、「PLAYLIST EXCHANGE 」ボタン２０８、「REMOTE EDITING」ボタン２０９が表示される。
オペレータは、「REMOTE EDITING」ボタン２０９にカーソルを合わせてクリツクする。これにより、ＣＰＵ５１Ｂは「REMOTE EDITING」画面をＣＲＴモニタ５６Ｂ上に表示する。
【００５９】
図１２に示すように、「REMOTE EDITING」画面においてオペレータは「Remote Editing Enable （遠隔操作可能）」が「Yes 」にクリツクされた状態で「OK」ボタン２１０にカーソルを合わせてクリツクする。これにより、ＣＰＵ５１Ｂはイーサネツトインターフエース６７Ｂを介してコンピユータ２８〜３３の各ＣＰＵ５１Ｃに対して機能優先の権限を与え、機能の主体をモニタリング部１７のコンピユータ２８〜３３に移す。
【００６０】
すなわち、プレイアウト部１６のコンピユータ２４において、プレイリストの作成、再生及びプレイリスト送出中の編集作業等を実行することはできなくなる。また、「REMOTE EDITING」画面においては「Cancel」ボタン２１１によつて機能優先の権限をプレイアウト部１６のコンピユータ２４に戻し得るようになされている。
【００６１】
次に、図１３に示すように本発明のプレイアウトモニタリングソフトウエアにおいてはメインメニユ画面２１５を最上位画面として、その下位画面にプレイリストを作成するためのプレイリストクリエーシヨン用画面群２１６、プレイリストの送出状態及び編集のためのプレイリスト送出状態モニタ及び編集用画面群２１７、クリツプＩＤのコピー処理等を行うためのクリツプＩＤ管理用画面群２１８、及びユーテイリテイ画面２１９を有し、各種処理を実行し得るようになされている。
【００６２】
プレイリスト送出状態モニタ及び編集用画面群２１７は、所定チヤンネルにおけるプレイリストの内容及び送出状態を表示するチヤンネルステータス画面２２０を有し、下位画面に送出中のプレイリストに対する編集を行うためのエデイツトプレイリスト（キー入力）画面２２１、複数のチヤンネルにおけるプレイリストを１画面中に全て表示するマルチチヤンネルステータス画面２２２、プレイリストを選択するための一覧表を表示するプレイリストテーブル２２３を有している。
【００６３】
また、エデイツトプレイリスト（キー入力）画面２２１は下位画面にマウスによつて編集作業を行うエデイツトプレイリスト（マウス入力）画面２２４を持ち、さらに下位画面に編集作業を行う際にクリツプＩＤのリストを見やすく並べ変えるためのサーチ画面２２５を有している。
【００６４】
本発明におけるプレイアウトモニタリングソフトウエアにおいては、チヤンネルステータス画面２２０から送出中のプレイリストの内容を確認し、エデイツトプレイリスト（キー入力）画面２２１によつてプレイリストのクリツプＩＤを編集し、また必要に応じてエデイツトプレイリスト（マウス入力）画面２２４によつてクリツプＩＤを編集し得るようになされている。
【００６５】
次に、機能優先の権限を与えられたコンピユータ２８〜３３において送出中のプレイリストに対してクリツプＩＤの編集を行う編集処理手順を実際のモニタ画面を確認しながら説明する。
ＣＭインサーシヨン装置１４においては、モニタリング部１７のコンピユータ２８〜３３を立ち上げるとＣＰＵ５１Ｃがハードデイスク５７ＣからＯＳを読み出してＲＡＭ５３Ｃにロードする。これにより、ＯＳは自動的に立ち上がる。
【００６６】
ＣＰＵ５１ＣはＯＳ上のアプリケーシヨンソフトウエアのうちのプレイアウトモニタリグソフトウエアを読み出してＲＡＭ５３Ｃにロードし、当該プレイアウトモニタリグソフトウエアを立ち上げる。続いて、ＣＰＵ５１ＣはＯＳ上のプログラムを経由してプレイアウトモニタリグソフトウエアのメインメニユ画面の内容を表す画像表示用データをＶＲＡＭ５４Ｃに書き込む。
ＣＰＵ５１ＣはＶＲＡＭ５４Ｃ上に書き込まれた画像表示用データを定期的に読み出し、Ｄ／Ａコンバータ６３Ｃによつてアナログの映像信号に変換して送出することにより、ＣＲＴモニタ５６Ｃ上にメインメニユ画面を表示するようになされている。
【００６７】
この場合、図１４に示すように、メインメニユー画面には「CHANNEL STATUS」ボタン２３０及び「UTILITY 」ボタン２３１が表示される。オペレータは「CHANNEL STATUS」ボタン２３０にカーソルを合わせてクリツクする。
これにより、ＣＰＵ５１Ｃは「CHANNEL STATUS」画面をＣＲＴモニタ５６Ｃ上に表示する。
【００６８】
図１５に示すように「CHANNEL STATUS」画面がＣＲＴモニタ５６Ｃ上に表示される。オペレータは「CHANNEL STATUS」画面上の「VSR OUT 」欄２５０及び「Playlist ID 」欄２５１内の表示を確認することにより、ＩＤナンバ「9602241a」のプレイリストが「１」チヤンネルに送出中であることを認識できる。
また「CHANNEL STATUS」画面においては、表示部２５２の左端部分にチエツクマークの付いた「Event 」の「004 」番までのクリツプＩＤがすでに放送済みであり、斜線で示された「005 」番のイベントであるクリツプＩＤ「00000013」が現在放送中であることを示している。
【００６９】
また、「Count Down」欄２５３は「001 」イベントのプログラム映像（ＰＧＭ）と「007 」イベントのプログラム映像（ＰＧＭ）間における「002 」〜「006 」までのクリツプＩＤの合計時間からカウントダウンした現在の放送残り時間を表示しており、この場合は「00:02:30」からカウントダウンがスタートし、現在の放送残り時間が「38」秒となつた状態である。さらに、「Date」欄２５４は現在の放送日を表示している。
【００７０】
従つて、オペレータは「Event 」ナンバ、「Start （放送開始予定時刻）」、「Clip ID 」、「Title 」、「Description 」、「Duration（放送時間）」、「Total Duration（プログラム映像とプログラム映像との間に放送予定のクリツプＩＤの総合計放送時間）」を確認することにより、「１」チヤンネルに放送中のプレイリスト「9602241a」の内容及び送出状態を把握する。
【００７１】
ちなみに、画面左上に設けられた「ACT 」ボタン２５５は表示されているプレイリスト「9602241a」を再生するためのものであり、現在の画面には送出中の状態が表示されている。「Stop」ボタン２５６は再生中のプレイリスト「9602241a」を中止させるためのものであり、「Multi Status」ボタン２５７は現在の表示画面から１画面中に全てのチヤンネルのプレイリストを表示するマルチチヤンネル表示画面に切り換えるためのものである。
【００７２】
また、「Playlist Table」ボタン２５８は現在放送中のプレイリスト「9602241a」を変更するときに使用するプレイリストテーブル（プレイリストの一覧表）を開くためのものであり、「Edit Playlist 」ボタン２５９は現在放送中のプレイリスト「9602241a」を編集するためのものである。最後に、「Main Manu 」ボタン２６０は１つ前の「Main Manu 」画面に戻すためのものである。
さらに、画面表示の右端にはスクロールするための上下方向の矢印ボタン２６１、２６２及びスクロールバー２６３が設けられ、画面上に隠れているクリツプＩＤを表示させるときに画面をスクロールさせるためのものである。
【００７３】
オペレータは、急な要求を受けて現在送出中のプレイリストの内容を変更（クリツプＩＤの挿入及び差し替え等）し、変更後のプレイリストに基づいてＣＭ映像を送出しなければならない場合がある。
このような場合、オペレータは「Edit Playlist 」ボタン２５９をクリツクする。このとき、ＣＰＵ５１Ｃはキー入力方式の「Edit Playlist (Key In)」画面をＣＲＴモニタ５６Ｃ上に表示する。
【００７４】
図１６に示すように、「Edit Playlist (Key In)」画面は、キーボード６０Ｃからのキー入力によつて所望のクリツプＩＤを任意の順番位置に挿入するための操作画面であり、表示欄３００に設けられた「Event 」欄３０１、「Clip ID 」欄３０２、「Start 」欄３０３、「Description 」欄３０４、及び「Duration」欄３０５にキー入力用の空欄が設けられている。
【００７５】
オペレータは、表示欄３００中に所望のイベントナンバ、クリツプＩＤ、放送開始予定時刻、記述事項、及び放送時間をキー操作によつて入力し、「Overwrite 」を選択した状態でキーボード６０Ｃ上の実行キー（図示せず）を入力すると、ＣＰＵ５１Ｃはキー入力によつて指定されたイベントナンバの位置に入力したクリツプＩＤを上書きするようになされている。
すなわち、「017 」イベントに「00000036」クリツプＩＤのＣＭ映像データが登録される。
【００７６】
また、オペレータは、表示欄３００中に所望のイベントナンバ、クリツプＩＤ、放送開始予定時刻、記述事項、及び放送時間をキー操作によつて入力し、「Insert」を選択した状態でキーボード６０Ｃ上の実行キー（図示せず）を入力すると、ＣＰＵ５１Ｃはキー入力によつて指定されたイベントナンバ「017 」の位置に「00000036」のクリツプＩＤを登録し、以降のクリツプＩＤを順次ずらしていく。
さらに、クリツプＩＤを消去したいときには、少なくてもイベントナンバ及びクリツプＩＤをキー入力して「Delete」ボタン３０６をクリツクすると、ＣＰＵ５１Ｃは指定されたクリツプＩＤを消去し得るようになされている。
【００７７】
このようにして編集作業が終了すると、オペレータは「Previous」ボタン３０７をクリツクする。このとき、ＣＰＵ５１Ｃは画面を１つ前の「CHANNEL STATUS」画面（図１５）に戻すと同時に、先程編集した内容のプレイリストに基づいて送出を続けるようになされている。すなわち、「CHANNEL STATUS」画面によつてオペレータが確認し得るプレイリストの内容及び送出状態は、先程編集された新たなプレイリストに基づくものである。
この場合、編集したプレイリストはあくまでコンピユータ２８〜３３内のＲＡＭ５３Ｃ上での編集であり、ハードデイスク５７Ｃに特別セーブされることはなく、プレイリストのデータとしては保存されない。従つて、編集前のプレイリストはハードデイスク５７Ｃ内にそのまま格納されている。
【００７８】
ちなみに、「Cancel」ボタン３０９は編集した後のプレイリストを一旦白紙に戻して編集前のプレイリストに戻すためのものであり、「Print 」ボタン３１０はプレイリスト「9602241a」の内容をプリントアウトするためのものである。
【００７９】
ところで、「Edit Playlist (Key In)」画面において、キー入力ではなくマウスによつてクリツプＩＤを編集したい場合、オペレータは「Edit (Mouse)」ボタン３１１をクリツクする。
これにより、ＣＰＵ５１Ｃは「EDIT PLAYLIST(Mouse)」画面をＣＲＴモニタ８６Ｃ上に表示する。
【００８０】
図１７に示すように、「EDIT PLAYLIST(Mouse)」画面は、オペレータの操作するマウスによつて所望のクリツプＩＤを所望の順番位置に挿入するための操作画面である。
「EDIT PLAYLIST(Mouse)」画面においては、表示部３３０に編集元となるクリツプＩＤのリストあるいはプレイリストを表示し、表示部３３１に編集先となるプレイリストの内容を表示するようになされている。
現在、表示欄３３０においては「Clip List 」が選択された状態であるため、クリツプＩＤの一覧が表示されている。
【００８１】
この場合、オペレータは表示欄３３０のクリツプＩＤのタイトルを確認し、所望のクリツプＩＤが見つかつたら、マウス６２Ｃによつて所望のクリツプＩＤをクリツクする。このとき、ＣＰＵ５１ＣはクリツクされたクリツプＩＤの横一列全てを赤色で表示する。
これにより、オペレータは指定したクリツプＩＤが間違いないかを視覚上で確認することができる。
【００８２】
ところが、オペレータが表示欄３３０のクリツプＩＤのタイトルだけでは確認し得ないことがある。この場合、オペレータは「Preview 」ボタン３３２あるいは「Browse」ボタン３３３をクリツクすれば良い。このとき、ＣＰＵ５１Ｃは「Preview 」ボタン３３２がクリツクされたと認識すると、指定されたクリツプＩＤのＣＭ映像を指定された「VSR OUT 」チヤンネル（１ＣＨ〜６ＣＨ）のモニタ（図示せず）に映し出すようになされている。
【００８３】
また、ＣＰＵ５１Ｃは「Browse」ボタン３３３がクリツクされたと認識すると、指定されたクリツプＩＤのＣＭ映像を指定された「VSR OUT 」チヤンネルのモニタから最初の５秒間だけ再生するようになされている。
ちなみに、「Stop」ボタン３３４は「Preview 」及び「Browse」中に再生を中止するためのものである。
【００８４】
実際上、オペレータは挿入したいクリツプＩＤをクリツクし、→矢印アイコン３３５をクリツクする。
このとき、ＣＰＵ５１Ｃはオペレータによつて→矢印アイコン３３５がクリツクされたことを認識すると、指定されたクリツプＩＤを表示部３３１最下列に登録すると共に、登録したクリツプＩＤの横一列全てを赤色で表示する。
これにより、オペレータは指定したクリツプＩＤが間違いなくプレイリスト「9602241a」に登録されたことを視覚上で確認することができる。
【００８５】
ところで、ＣＰＵ５１Ｃはオペレータによつて指定されたクリツプＩＤを横一列全て赤色（斜線領域）で表示した後、再度オペレータによつて表示部３３１の所望のイベントナンバをクリツクしてから→矢印アイコン３３５がクリツクされると、指定されたイベントナンバの位置に指定されたクリツプＩＤを登録すると共に、登録したクリツプＩＤの横一列全てを赤色で表示し、登録前に指定されたイベントナンバにあつたクリツプＩＤを一段ずつ下にずらす。
このとき、消去したいクリツプＩＤについてはマウス６２Ｃによつてクリツクした後に「Delete」ボタン３３６をクリツクすれば良い。ちなみに、「Undo」ボタン３３７は直前に実行した処理を取り消して実行前の状態に戻すためのものである。
【００８６】
ＣＰＵ５１Ｃは、このようにして登録された後にオペレータによつて「Previous」ボタン３３８がクリツクされると１つ前の「Edit Playlist (Key In)」画面に戻し、当該「Edit Playlist (Key In)」画面において再度オペレータによつて「Previous」３０７がクリツクされると、さらに１つ前の「CHANNEL STATUS」画面に戻して編集したプレイリストに従つてＣＭ映像を送出し続けるようになされている。
このように、モニタリング部１７のコンピユータ２８〜３３に機能優先の権限が与えられると、送出中のプレイリストに対して編集することが可能となる。
【００８７】
（４）実施例の動作
以上の構成において、ＣＭインサーシヨン装置１４はプレイアウト部１６のコンピユータ２４と、モニタリング部１７のコンピユータ２８〜３３との間にイーサネツトを介してネツトワークを構築すると共に、コンピユータ２８〜３３においてコンピユータ２４と同様の機能を有するプレイアウトモニタリングソフトウエアによつてプレイリストの作成、再生及び編集作業を行えるようにした。
【００８８】
これにより、コンピユータ２８〜３３はコンピユータ２４から機能優先の権限が与えられた場合にのみ、各コンピユータ２８〜３３が各チヤンネルに対応してプレイリストの作成、再生及び編集作業を行つて遠隔操作し得ると共に、複数チヤンネル分のプレイリストを同時に編集しなければいけなくなつた場合においても各コンピユータ２８〜３３によつて並列して編集作業することができる。
【００８９】
（５）実施例の効果
以上の構成によれば、ＣＭインサーシヨン装置１４はプレイアウト部１６のコンピユータ２４とモニタリング部１７のコンピユータ２８〜３３との間でイーサネツトを介してネツトワークを構築するようにしたことにより、どちら側のコンピユータからもプレイリストの作成、再生及び編集作業を実行することができる。かくして、ＣＭインサーシヨン装置１４は１台のコンピユータだけを用いて各種処理を実行していた場合に比べて、複数台のコンピユータを用いるようにしたことにより、画面を切り換えることなく各種処理を並行して実行することができる。
【００９０】
（６）他の実施例
なお上述の実施例においては、エンコード処理部１５のコンピユータ１８、プレイアウト部１６のコンピユータ２４及びモニタリング部１７のコンピユータ２８〜３３を全てイーサネツトを介してネツトワークを構築するようにした場合について述べたが、本発明はこれに限らず、図１８に示すようにプレイアウト部１６のコンピユータ２４とモニタリング部１７のコンピユータ２８〜３３とだけをイーサネツトを介してネツトワークを構築するようにしても良い。この場合、エンコード処理部１５においては、コンピユータ１８の制御に基づいてエンコードしたＣＭ映像／音声データをライブラリユニツト２２に一旦保存した後に、ストリーマ２３によつてストリーマテープ２３Ａに記録し、当該ストリーマテープ２３Ａを直接プレイアウト部１６のストリーマ２７によつてＣＭ映像／音声データを読み出すことができる。
【００９１】
また上述の実施例においては、図１９に示すようにエンコード処理部１５においてエンコードしたＣＭ映像／音声データを記録しておく記憶媒体を設けず、全て直接プレイアウト部１６のメデイアユニツト２６に記録するようにしても良い。この場合も、プレイアウト部１６のコンピユータ２４とモニタリング部１７のコンピユータ２８〜３３とはイーサネツトを介してネツトワークが構築されており、どちらのコンピユータにおいてもプレイリストの作成及び編集を実行することができる。
【００９２】
さらに上述の実施例においては、接続手段としてイーサネツトバスＥＢ及びイーサネツトインターフエース６７Ａ〜Ｃを用いるようにした場合について述べたが、本発明はこれに限らず、ＬＡＮ(Local Area Network)を構築できれば他の種々の接続手段を用いるようにしても良い。
【００９３】
さらに上述の実施例においては、本発明の映像送出装置をＣＭ映像を送出するＣＭインサーシヨン装置１４に適用するようにした場合について述べたが、本発明はこれに限らず、ＣＭ映像に限らず他の種々の映像を送出する映像送出装置に適用するようにしても良い。
【００９４】
【発明の効果】
上述のように本発明によれば、所定の放送プログラムに従つて所定の映像を複数接続された出力チヤンネルごとに送出する映像送出装置において、送出プログラムの内容表示、当該送出プログラムの編集及び新規作成機能を有する第１の制御手段と、第１の制御手段と同じ機能を有する第２の制御手段と、第１の制御手段と上記第２の制御手段との間にネツトワークを構築する接続手段とを設けるようにする。
これにより、第１の制御手段だけでなく第２の制御手段においても送出プログラムの内容表示、当該送出プログラムの編集及び新規作成を実行できるので、各種処理を同時に並行して実行することができる。
【図面の簡単な説明】
【図１】本発明の実施例によるテレビジヨン放送システムの全体構成を示す略線的ブロツク図である。
【図２】ＣＭインサーシヨン装置の構成を示すブロツク図である。
【図３】エンコード処理部におけるエンコーダ部の構成を示すブロツク図である。
【図４】エンコード処理部におけるコンピユータの構成を示すブロツク図である。
【図５】プレイアウト部におけるビデオサーバの構成を示すブロツク図である。
【図６】プレイアウト部におけるコンピユータの構成を示すブロツク図である。
【図７】モニタリング部におけるコンピユータの構成を示すブロツク図である。
【図８】プレイリスト作成用コンピユータの構成を示すブロツク図である。
【図９】プレイアウトコントロールソフトウエアにおける表示画面の構成を示す略線図である。
【図１０】ＣＲＴモニタに表示されたプレイアウトコントロールソフトウエアにおけるメインメニユ画面を示す略線図である。
【図１１】ＣＲＴモニタに表示されたプレイアウトコントロールソフトウエアにおけるユーテイリテイメインメニユ画面を示す略線図である。
【図１２】リモートエデイテイング画面を示す略線図である。
【図１３】プレイアウトモニタリングソフトウエアにおける表示画面の構成を示す略線図である。
【図１４】ＣＲＴモニタに表示されたプレイアウトモニタリングソフトウエアにおけるメインメニユ画面を示す略線図である。
【図１５】ＣＲＴモニタに表示されたプレイアウトモニタリングソフトウエアにおけるチヤンネルステータス画面を示す略線図である。
【図１６】ＣＲＴモニタに表示されたプレイアウトモニタリングソフトウエアにおけるエデイツトプレイリスト（キー入力）画面を示す略線図である。
【図１７】ＣＲＴモニタに表示されたプレイアウトモニタリングソフトウエアにおけるエデイツトプレイリスト（マウス入力）画面を示す略線図である。
【図１８】ライブラリユニツトを用いないＣＭインサーシヨン装置の構成を示すブロツク図である。
【図１９】データ転送にストリーマを用いたＣＭインサーシヨン装置の構成を示すブロツク図である。
【図２０】ネツトワークを構築したＣＭインサーシヨン装置の構成を示すブロツク図である。
【符号の説明】
１……テレビジヨン放送システム、２〜７……カートマシン、８〜１３……制御部、１４……ＣＭインサーシヨン装置、１５……エンコード処理部、１６……プレイアウト部、１７……モニタリング部、２１……エンコーダ部、２５……ビデオサーバ、４１……ペリフエラルデバイス制御部、７１……システム制御部。
【図１】
0003846648.tif 000002
【図２】
0003846648.tif 000003
【図３】
0003846648.tif 000004
【図４】
0003846648.tif 000005
【図５】
0003846648.tif 000006
【図６】
0003846648.tif 000007
【図７】
0003846648.tif 000008
【図８】
0003846648.tif 000009
【図９】
0003846648.tif 000010
【図１０】
0003846648.tif 000011
【図１１】
0003846648.tif 000012
【図１２】
0003846648.tif 000013
【図１３】
0003846648.tif 000014
【図１４】
0003846648.tif 000015
【図１５】
0003846648.tif 000016
【図１６】
0003846648.tif 000017
【図１７】
0003846648.tif 000018
【図１８】
0003846648.tif 000019
【図１９】
0003846648.tif 000020
【図２０】
0003846648.tif 000021